(57)【要約】【課題】冷却対象の冷却効率を向上できるプロジェクターを提供すること。【解決手段】プロジェクターにおいて、冷却対象に対して冷却空気Ｗを送風する冷却装置は、冷却空気Ｗを吸入する冷却ファンと、冷却ファンから吐出された冷却空気Ｗを第１の方向に流通させた後、第１の方向に対して交差する第２の方向に流通させて冷却対象の配設位置まで導く第１、２流路８Ａ１，８Ａ２，８Ｂ１を有するダクト８とを備え、ダクト８には、冷却空気Ｗを導く複数の案内部材９〜１１が配設され、複数の案内部材９〜１１は、第１の方向と第２の方向とが交差する位置を跨いで形成されている。【選択図】図４
2010262153.tif 000002
【特許請求の範囲】
【請求項１】
冷却対象に対して冷却空気を送風する冷却装置を備えたプロジェクターであって、
前記冷却装置は、
前記冷却空気を吸入する冷却ファンと、
前記冷却ファンから吐出された冷却空気を第１の方向に流通させた後、前記第１の方向に対して交差する第２の方向に流通させて前記冷却対象の配設位置まで導くダクトとを備え、
前記ダクトには、
前記冷却空気を導く複数の案内部材が配設され、
前記複数の案内部材は、
前記第１の方向と前記第２の方向とが交差する位置を跨いで形成されている
ことを特徴とするプロジェクター。
【請求項２】
請求項１に記載のプロジェクターにおいて、
前記冷却対象は、
３色の色光を画像情報に応じて変調する第１、第２、第３の光変調装置と、
前記各光変調装置の光入射側及び光射出側に配設される入射側光学素子及び射出側光学素子とを有し、
前記第１、第２の光変調装置は、対向配置され、
前記ダクトは、
前記案内部材により第１ダクト部及び第２ダクト部に分岐され、
前記第１ダクト部は、
前記第３の光変調装置に冷却空気を流出し、
前記第２ダクト部は、
前記第１、第２の光変調装置に冷却空気を流出する
ことを特徴とするプロジェクター。
【請求項３】
請求項２に記載のプロジェクターにおいて、
前記第２ダクト部は、
前記第１、第２の光変調装置への入射光束の光軸に沿う前記第２の方向に延出し、
前記第１の光変調装置は、
前記第２の光変調装置よりも冷却空気の流れ方向の上流側に配設され、
前記第１の光変調装置へ冷却空気を流出する流出口は、
平面視において、前記第１の光変調装置、前記入射側光学素子、及び前記射出側光学素子を跨いで延びている
ことを特徴とするプロジェクター。
【請求項４】
請求項２または請求項３に記載のプロジェクターにおいて、
前記第１ダクト部は、
前記第３の光変調装置の光入射面及び光射出面に沿う方向に冷却空気を流通させる導風路を有し、
前記導風路は、
前記第３の光変調装置に向かうにつれて、前記第３の光変調装置から垂直方向に離間する方向に傾斜する傾斜部を備えている
ことを特徴とするプロジェクター。
【発明の詳細な説明】
【技術分野】
【０００１】
本発明は、プロジェクターに関する。
【背景技術】
【０００２】
従来、外部から冷却空気を吸入して吐出する送風手段（冷却ファン）と、当該冷却ファンに接続されて冷却対象に冷却空気を吐出する平面視Ｌ字状の送風路（ダクト）とを備えるプロジェクターがある（例えば、特許文献１参照）。
特許文献１に記載のダクトは、平面視Ｌ字状に形成され、第１の案内部材により第１の流路と第２の流路とに分割されている。
第１の流路は、緑色光側の光変調装置に向けて冷却空気を吐出する流出口を備える。この第１の流路には、第１の流路内を辿る冷却空気を整流する第２の案内部材が配設されている。当該第２の案内部材は、第１の流路のＬ字の屈曲部分より下流側を始点として、空気の流れ方向に沿って、流出口に向けて延びるように配設されている。
【先行技術文献】
【特許文献】
【０００３】
【特許文献１】特開２００７−５８２４２号公報
【発明の概要】
【発明が解決しようとする課題】
【０００４】
しかしながら、特許文献１に記載のプロジェクターでは、第１の流路内に配設される第２の案内部材は、第１の流路の屈曲部分より下流側を始点として、冷却空気の流れ方向に沿って、流出口に向けて延びるように配設されているので、ダクトの第１の流路の屈曲部分の外側を辿る流量と内側を辿る流量とは、不均一となる。具体的には、第１の流路の屈曲部分の外側を辿る流量が内側を辿る流量よりも多くなるので、流量の多い屈曲部分の外側を辿る冷却空気は、屈曲部分の外側の内壁部分で摩擦を生じ易く、圧力損失を生じることとなる。これにより、冷却空気の流量が低減することとなり、冷却対象に対して冷却空気の十分な流量を確保できず、冷却効率が悪くなるという問題がある。
【０００５】
本発明の目的は、冷却対象の冷却効率を向上できるプロジェクターを提供することにある。
【課題を解決するための手段】
【０００６】
本発明のプロジェクターは、冷却対象に対して冷却空気を送風する冷却装置を備えたプロジェクターであって、前記冷却装置は、前記冷却空気を吸入する冷却ファンと、前記冷却ファンから吐出された冷却空気を第１の方向に流通させた後、前記第１の方向に対して交差する第２の方向に流通させて前記冷却対象の配設位置まで導く流路を有するダクトとを備え、前記ダクトには、前記冷却空気を導く複数の案内部材が配設され、前記複数の案内部材は、前記第１の方向と前記第２の方向とが交差する位置を跨いで形成されていることを特徴とする。
【０００７】
本発明では、複数の案内部材が、第１の方向と第２の方向とが交差する位置を跨ぐように形成されている。これによれば、冷却空気がダクト内に吐出されると、複数の案内部材により、ダクトの第１の方向と第２の方向とが交差する位置を辿る冷却空気の流量をそれぞれ均一化することができ、ダクトの第１の方向と第２の方向とが交差する位置で生じる圧力損失を低減できる。
従って、圧力損失が低減されることで、冷却空気の流量の減少を防止でき、冷却対象の冷却効率を向上できる。
【０００８】
本発明のプロジェクターは、前記冷却対象は、３色の色光を画像情報に応じて変調する第１、第２、第３の光変調装置と、前記各光変調装置の光入射側及び光射出側に配設される入射側光学素子及び射出側光学素子とを有し、前記第１、第２の光変調装置は、対向配置され、前記ダクトは、前記案内部材により第１ダクト部及び第２ダクト部に分岐され、前記第１ダクト部は、前記第３の光変調装置に冷却空気を流出し、前記第２ダクト部は、前記第１、第２の光変調装置に冷却空気を流出することが好ましい。
【０００９】
本発明では、ダクトは、案内部材により、第３の光変調装置に冷却空気を流出する第１ダクト部と、第１、第２の光変調装置に冷却空気を流出する第２ダクト部とに分岐される。例えば、第１ダクト部を辿る冷却空気は、第３の光変調装置のみに対して流出し、第１、第２の光変調装置に対して、第２ダクト部を辿る冷却空気が流出するので、第１、第２、第３の光変調装置を効率的に冷却できる。
【００１０】
本発明のプロジェクターでは、前記第２ダクト部は、前記第１、第２の光変調装置への入射光束の光軸に沿う前記第２の方向に延出し、前記第１の光変調装置は、前記第２の光変調装置よりも冷却空気の流れ方向の上流側に配設され、前記第１の光変調装置へ冷却空気を流出する流出口は、平面視において、前記第１の光変調装置、前記入射側光学素子、及び前記射出側光学素子を跨いで延びていることが好ましい。
【００１１】
本発明では、第２ダクト部は、第２の方向に延出し、第２ダクト部の流出口は、第１の光変調装置、入射側光学素子、及び射出側光学素子の入射光束の光軸に沿う方向に延びるように形成されている。これによれば、冷却空気は、これらの部材に確実に流出して、良好に冷却できる。
【００１２】
本発明のプロジェクターでは、前記第１ダクト部は、前記第３の光変調装置の光入射面及び光射出面に沿う方向に冷却空気を流通させる導風路を有し、前記導風路は、前記第３の光変調装置に向かうにつれて、前記第３の光変調装置から垂直方向に離間する方向に傾斜する傾斜部を備えていることが好ましい。
【００１３】
ところで、従来、冷却ファンからダクトを介して流出される冷却空気は、ダクト内において、光変調装置への入射光束の光軸の直交する方向に流れた後、流出口を介して光変調装置の下方から上方に向けて光変調装置の光入射面及び光射出面に沿って流れる。そのため、冷却空気は、流出口を介してダクト外部に流出する前に、ダクト内部において、光変調装置への入射光束の光軸の直交する方向に方向を変えているため、流出口の開口面に対して斜め方向に流出して、矩形状に形成された光変調装置の対角線に沿うように流れてしまう。そのため、光変調装置の光入射面及び光射出面の一部に冷却空気が流れないおそれがあり、光変調装置が均一に冷却されないという問題があった。
本発明では、導風路は、第３の光変調装置に向かうにつれて、第３の光変調装置から垂直方向に離間する方向に傾斜している傾斜部を備えるので、第３の光変調装置に機械的に干渉することなく、導風路を経由した後の冷却空気を第３の光変調装置に向けて流通させる流路（以下、流出流路）を確保できる。
これによれば、冷却空気は、導風路から流出流路を経由して、第３の光変調装置に対して流れるので、流出流路にて流出口の開口面に対する斜め方向への流通が規制されることとなり、流出口の開口面に対して略直交する方向に流出することとなる。すなわち、第３の光変調装置の光入射面及び光射出面に対して均一に冷却空気を流すことができ、第３の光変調装置の冷却効率を向上できる。
また、導風路は、傾斜部を備えるので、導風路と流出流路とが交差する角部分は、Ｒを大きくすることが可能となる。このように、角部分をＲ状に形成すれば、角部分での冷却空気の抵抗を低減し、圧力損失を低減できる。すなわち、冷却空気の流量や流速が低減することなく、流出流路から第３の光変調装置に対して冷却空気を良好に流出でき、冷却効率を向上できる。
【図面の簡単な説明】
【００１４】
【図１】本発明の一実施形態に係るプロジェクターの概略構成を模式的に示す図。
【図２】前記実施形態における冷却装置、光学装置、及び偏光変換素子等を模式的に示す斜視図。
【図３】前記実施形態におけるダクトを前方上方側から見た斜視図。
【図４】前記実施形態におけるダクトの前方下方側から見た斜視図。
【図５】前記実施形態におけるダクトの底面図。
【図６】図２でのＶＩ−ＶＩ線断面図。
【図７】図２でのＶＩＩ−ＶＩＩ線断面図。
【発明を実施するための形態】
【００１５】
以下、本発明に係る一実施形態を図面に基づいて説明する。
［プロジェクターの構成］
図１は、プロジェクター１の概略構成を模式的に示す図である。
なお、以下では、プロジェクター１において投射側（投射レンズ３が配置された側）を「前面」とし、その反対側を「背面」とする。また、図１における図面視手前側を天面側、奥側を底面側とする。また、以下で記載する「左」、「右」は、プロジェクター１を天面が上側となるようにして、前面から見た時の左右に相当するものである。
プロジェクター１は、画像情報に応じた画像を形成してスクリーン（図示略）上に投射する。このプロジェクター１は、図１に示すように、略直方体状の外装筐体２と、投射レンズ３と、光学ユニット４と、プロジェクター１内部の各構成部材を冷却する冷却装置５と、具体的な図示を省略したが、プロジェクター１内部の各構成部材を制御する制御装置等とを備える。
【００１６】
外装筐体２は、全体略直方体形状を有し、本実施形態では合成樹脂により形成されている。この外装筐体２は、プロジェクター１の天面、前面、背面、及び側面をそれぞれ構成するアッパーケース、及びプロジェクター１の底面、前面、背面、及び側面をそれぞれ構成するロアーケース等で構成される。そして、各ケースは、互いにねじ等で固定されている。なお、外装筐体２は、合成樹脂等に限らず、その他の材料にて形成してもよく、例えば、金属等により構成してもよい。
投射レンズ３は、複数のレンズを組み合わせた組レンズとして構成され、光学ユニット４にて形成された画像光をスクリーン上に拡大投射する。
【００１７】
光学ユニット４は、前記制御装置による制御の下、光源から射出された光束を光学的に処理して画像情報に対応した画像光を形成する。この光学ユニット４は、図１に示すように、光源装置４１と、照明光学装置４２と、色分離光学装置４３と、リレー光学装置４４と、光学装置４５と、光源装置４１から射出された光束の照明光軸Ａが内部に設定された照明光軸Ａに対する所定位置に上述の各光学部品４１〜４５を収納する光学部品用筐体４６とを備える。
【００１８】
光源装置４１は、図１に示すように、光源４１１及びリフレクター４１２等を備える。そして、光源装置４１は、光源４１１から射出された光束がリフレクター４１２によって射出方向が揃えられ、照明光学装置４２に向けて光束を射出する。
【００１９】
照明光学装置４２は、図１に示すように、第１レンズアレイ４２１、第２レンズアレイ４２２、偏光変換素子４２３、及び重畳レンズ４２４を備える。そして、光源装置４１から射出された光束は、第１レンズアレイ４２１によって複数の部分光束に分割され、第２レンズアレイ４２２の近傍で結像する。第２レンズアレイ４２２から射出された各部分光束は、その中心軸（主光線）が偏光変換素子４２３の入射面に垂直となるように入射し、偏光変換素子４２３にて略１種類の直線偏光光として射出される。偏光変換素子４２３から直線偏光光として射出され、重畳レンズ４２４を介した複数の部分光束は、光学装置４５の後述する液晶パネル４５１上で重畳する。
【００２０】
色分離光学装置４３は、図１に示すように、２枚のダイクロイックミラー４３１，４３２、及び反射ミラー４３３を備え、これらのダイクロイックミラー４３１，４３２、反射ミラー４３３により照明光学装置４２から射出された複数の部分光束を赤、緑、青の３色の色光に分離する機能を有する。
リレー光学装置４４は、図１に示すように、入射側レンズ４４１、リレーレンズ４４３、及び反射ミラー４４２，４４４を備え、色分離光学装置４３で分離された色光、例えば、赤色光を光学装置４５の後述する赤色光側の液晶パネル４５１Ｒまで導く機能を有する。
【００２１】
光学装置４５は、入射した光束を画像情報に応じて変調して画像光を形成する。この光学装置４５は、図１に示すように、３つの光変調装置としての液晶パネル４５１（赤色光側の第１の光変調装置としての液晶パネルを４５１Ｒ、第２の光変調装置としての青色光側の液晶パネルを４５１Ｂ、第３の光変調装置としての緑色光側の液晶パネルを４５１Ｇとする）と、各液晶パネル４５１の光路前段側に配置される入射側光学素子としての入射側偏光板４５２と、各液晶パネル４５１の光路後段側に配置される２枚の射出側光学素子としての射出側偏光板４５３と、クロスダイクロイックプリズム４５４とを備える。
【００２２】
３つの入射側偏光板４５２は、色分離光学装置４３で分離された各光束のうち、偏光変換素子４２３で揃えられた偏光方向と略同一の偏光方向を有する偏光光のみ透過させ、その他の光束を吸収するものであり、透光性基板上に偏光膜が貼付されて構成されている。
３つの射出側偏光板４５３は、入射側偏光板４５２と略同様の機能を有し、液晶パネル４５１を介して射出された光束のうち、一定方向の偏光光を透過し、その他の光束を吸収する。
【００２３】
クロスダイクロイックプリズム４５４は、射出側偏光板４５３から射出された色光毎に変調された各色光を合成してカラー画像を形成する。このクロスダイクロイックプリズム４５４は、４つの直角プリズムを貼り合わせた平面視略正方形状をなし、直角プリズム同士を貼り合わせた界面には、２つの誘電体多層膜が形成されている。これら誘電体多層膜は、液晶パネル４５１Ｇから射出され射出側偏光板４５３を介した色光を透過し、液晶パネル４５１Ｒ，４５１Ｂから射出され各射出側偏光板４５３を介した各色光を反射する。このようにして、各色光が合成されて画像光が形成される。
【００２４】
［冷却装置の構成］
図２は、本実施形態の要部を示す斜視図であり、具体的には、冷却装置５に光学装置４５、及び偏光変換素子４２３等が配置された状態を背面側から見た斜視図である。
冷却装置５は、液晶パネル４５１、入射側偏光板４５２、射出側偏光板４５３、及び偏光変換素子４２３に対して冷却空気を送風するものであり、図２に示すように、冷却ファン７と、ダクト８とを備えている。
【００２５】
［冷却ファンの構成］
冷却ファン７は、図１に示すように、投射レンズ３の右側面側に配設され、図２に示すように、シロッコファンで構成される。また、冷却ファン７は、図２に示すように、空気を吸入する吸入口７１と、空気を吐出する吐出口７２とを備えている。そして、冷却ファン７の吐出口７２は、図２に示すように、ダクト８に接続される。
外装筺体１の側面には、図１に示すように、吸気口６が備えられており、冷却ファン７の吸入口７１（図２参照）は、吸気口６に対向するように配置されている。そして、吸気口６からプロジェクター１の外部の空気が、冷却ファン７の吸入口７１（図２参照）に吸入される。
冷却ファン７は、図２に示すように、吸気口６（図１参照）から外部の空気を吸入し、冷却対象である液晶パネル４５１、入射側偏光板４５２、射出側偏光板４５３、及び偏光変換素子４２３に対してダクト８を介して吐出する。
【００２６】
［ダクトの構成］
図３は、ダクト８の斜視図であり、具体的には、ダクト８を前面上方側から見た斜視図である。図３中の矢印は、冷却空気の流れ方向を示している。
図４は、ダクト８の斜視図であり、具体的には、ダクト８を前面下方側から見た斜視図である。
図５は、ダクト８の底面図である。
図６は、図２のＶＩ−ＶＩ線断面図である。なお、図６では、冷却対象である液晶パネル４５１Ｇを二点鎖線で図示し、説明の都合上、入射側偏光板４５２の図示を省略する。
図７は、図２のＶＩＩ−ＶＩＩ線断面図である。
ダクト８は、図３に示すように、平面視略Ｌ字状に形成され、図４、５に示すように、底面側が開口した容器形状を有し、開口部分が図示しない外装筐体２の底面部にて閉塞されるように当該底面部に取り付けられる。
【００２７】
ダクト８は、図３に示すように、一端側から背面側へ延出した後、当該延出方向と略直交する方向に曲げられて、背面に沿って延出している。
ダクト８の天面側には、図３に示すように、緑側冷却用流出口８１と、流出口としての赤側冷却用流出口８２と、青側冷却用流出口８３と、流出口８４とが形成されている。
ダクト８の底面側には、図４、５に示すように、円弧状の３つの案内部材としての第１〜第３案内部材９〜１１がダクト８の形状に応じて配設されている。各案内部材９〜１１は、ダクト８の一端側に冷却ファン７が接続される接続口８０とダクト８の屈曲部分との間を始点として、緑側冷却用流出口８１及び赤側冷却用流出口８２まで延出している。
【００２８】
ダクト８は、図４、５に示すように、第１案内部材９により、平面視Ｌ字状の第１ダクト部８Ａと、第１ダクト部８ＡのＬ字部分の内側に対して配置される平面視Ｌ字状の第２ダクト部８Ｂとに分岐され、これらは一体形成されている。
【００２９】
［第１ダクト部の構成］
第１ダクト部８Ａは、図４、５に示すように、一端側から背面側へ延出した後、当該延出方向と略直交する方向に曲げられて、背面側に沿って延出している。そして、冷却ファン７から吐出される冷却空気Ｗ１は、緑色光側の液晶パネル４５１Ｇの光入射面及び光射出面に沿う方向に、第１ダクト部８Ａを辿る。
第１ダクト部８Ａは、図４、５に示すように、第２案内部材１０により第１流路８Ａ１と、第２流路８Ａ２とに分岐されている。第１ダクト部８Ａには、緑側冷却用流出口８１が形成されている。
【００３０】
第１流路８Ａ１及び第２流路８Ａ２は、図４に示すように、Ｌ字部分に沿って延出する導風路としての第１導風路８Ａ１０と、第１導風路８Ａ１０と交差する方向に延出し、緑側冷却用流出口８１に向けて冷却空気Ｗ１を流出する第２導風路８Ａ２０とを有する。
第１導風路８Ａ１０は、冷却ファン７から吐出される冷却空気Ｗ１を液晶パネル４５１Ｇの光入射面及び光射出面に略平行となるように流通させる。
第２導風路８Ａ２０は、第１導風路８Ａ１０を辿る冷却空気Ｗ１を上方に向けて流通させ、緑側冷却用流出口８１を介して、緑色光側の液晶パネル４５１Ｇに導く。
【００３１】
以下では、図６を参照して説明するが、図示の都合上、第１流路８Ａ１のみを図示しているため、第１流路８Ａ１について説明する。第２流路８Ａ２については説明を省略しているが、第１流路８Ａ１と同様の構成である。
第１ダクト部８Ａは、図６に示すように、天面側の肉厚部分を厚くして、上流側から下流側に向かうにつれて、垂直方向（底面側）に向けて傾斜する傾斜部８５が形成されている。
これにより、第１ダクト部８Ａは、図６に示すように、第１導風路８Ａ１０の内径が縮小するようにテーパ状に形成される。具体的には、第１導風路８Ａ１０の径寸法Ｌ１が、下流側に向かうにつれて縮径し、径寸法Ｌ２となり、第１導風路８Ａ１０と第２導風路８Ａ２０とが交差する角部分は、Ｒを大きくすることができ、この際、図６に示すように、交差する角部分がＲ状（湾曲状）に形成される。
【００３２】
［第２ダクト部の構成］
第２ダクト部８Ｂには、冷却空気Ｗ２の流れ方向の上流側から赤側冷却用流出口８２、青側冷却用流出口８３、及び流出口８４が形成される。そして、冷却ファン７から吐出された冷却空気Ｗ２は、赤、青色光側の液晶パネル４５１Ｒ，４５１Ｂの光入射面及び光射出面に略直交する方向に、第２ダクト部８Ｂを辿る。
第２ダクト部８Ｂは、図４、５に示すように、第１ダクト部８Ａと同様に、一端側から背面側へ延出した後、当該延出方向と略直交する方向に曲げられて、背面に沿って延出している。この第２ダクト部８Ｂは、赤側冷却用流出口８２及び青側冷却用流出口８３が形成される平面視Ｌ字状の流路としての第１流路８Ｂ１と、第１ダクト部８Ａの端部に交差するように、背面側に向けて斜め方向に延出し、流出口８４が形成される平面視略直線状の第２流路８Ｂ２とを有する。
【００３３】
［案内部材の構成］
第１案内部材９は、上述したように、ダクト８を第１ダクト部８Ａと、第２ダクト部８Ｂとに分岐し、図５に示すように、冷却ファン７から吐出される冷却空気Ｗを冷却空気Ｗ１（第１ダクト部８Ａ側）と冷却空気Ｗ２（第２ダクト部８Ｂ側）とに分流する。この第１案内部材９は、冷却空気Ｗ２がダクト８の屈曲部分で生じる圧力損失を低減するものである。
ここで、第１案内部材９が配設されていない場合には、冷却空気Ｗ２の流量が圧力損失により減少し、赤、青側冷却用流出口８２，８３に冷却空気Ｗ２を良好に導くことができない。第１案内部材９を配設することで、第１案内部材９は、冷却空気Ｗ２を赤、青側冷却用流出口８２，８３へ良好に導くものである。
【００３４】
第２案内部材１０は、上述したように、第１ダクト部８Ａを第１流路８Ａ１と、第２流路８Ａ２とに分岐し、図５に示すように、冷却空気Ｗ１を冷却空気Ｗ１１（第１流路８Ａ１側）と冷却空気Ｗ１２（第２流路８Ａ２側）とに分流する。この第２案内部材１０は、冷却空気Ｗ１がダクト８の屈曲部分で生じる圧力損失を低減させるものである。
ここで、第２案内部材１０が配設されていない場合には、冷却空気Ｗ１の流量が圧力損失により減少し、緑側冷却用流出口８１の後述する第２流出口８１Ｂに冷却空気Ｗ１を良好に導くことができない。第２案内部材１０を配設することで、第２案内部材１０は、冷却空気Ｗ１２を後述する流出口８１Ｂへ良好に導くものである。
【００３５】
第３案内部材１１は、図４、５に示すように、第２ダクト部８Ｂの第１流路８Ｂ１の一部を分岐し、第２ダクト部８Ｂに流入する冷却空気Ｗ２を整流し、冷却空気Ｗ２１（第１ダクト部８Ａ側）と冷却空気Ｗ２２（第１ダクト部８Ａと反対側）とに分流する。
この第３案内部材１１は、冷却空気Ｗ２の第１案内部材９で生じる圧力損失を低減させるものである。すなわち、第３案内部材１１が配設されていない場合には、冷却空気Ｗ２の流量が圧力損失により流量が減少し、赤側冷却用流出口８２に冷却空気Ｗ２を良好に導くことができない。第３案内部材１１を配設することで、第３案内部材１１は、冷却空気Ｗ２２を赤側冷却用流出口８２へ良好に導くものである。
【００３６】
［緑側冷却用流出口の構成］
緑側冷却用流出口８１は、図３に示すように、前後方向に沿って、背面側から矩形状の第１流出口８１Ａ及び第２流出口８１Ｂが並設されて構成される。第１流出口８１Ａの開口面積は、第２流出口８１Ｂの開口面積より大きく形成されている。
【００３７】
第１流出口８１Ａは、図４、５に示すように、第１流路８Ａ１の第２導風路８Ａ２０に形成される。この第１流出口８１Ａの周縁部分には、図３に示すように、天面側に向けて突出する整流板１２が配設されている。そして、第１導風路８Ａ１０を辿る冷却空気Ｗ１１は、傾斜部８５によって底面部に向けて流通し、整流板１２に当たって、第２導風路８Ａ２０を辿り、第１流出口８１Ａから、入射側偏光板４５２（図２参照）、及び緑色光側の液晶パネル４５１Ｇ（図２、６参照）の光入射面に上方向に沿って流出する（図３、６中の矢印Ｇ１）
【００３８】
第２流出口８１Ｂは、図４、５に示すように、第２流路８Ａ２の第２導風路８Ａ２０に形成される。この第２流出口８１Ｂの周縁部分には、図３に示すように、天面側に向けて突出する整流板１３が配設されている。そして、第１導風路８Ａ１０を辿る冷却空気Ｗ１２は、第２案内部材１０で整流されて、傾斜部８５によって底面部に向けて流通し、整流板１３に当たって、第２導風路８Ａ２０を辿り、第２流出口８１Ｂから、射出側偏光板４５３、及び液晶パネル４５１Ｇの光射出面に上方向に沿って流出する（図３中の矢印Ｇ２）。
【００３９】
［赤側冷却用流出口の構成］
赤側冷却用流出口８２は、図３に示すように、右側面側から左右方向に沿って延出して形成され、図７に示すように、入射側偏光板４５２、液晶パネル４５１Ｒ、及び射出側偏光板４５３を跨ぐように形成されている。この赤側冷却用流出口８２は、右側面側から略長方形状の第１流出口８２Ａと、略正方形状の第２流出口８２Ｂとが合わさって、一つの開口により構成されている。
これにより、複数の開口を形成した際に配設される整流板等を必要とせず、第２ダクト部８Ｂの第１流路８Ｂ１を辿る冷却空気Ｗ２が整流板等で圧力損失を生じることがなく、冷却空気Ｗ２の流量の減少が防止される。
【００４０】
第１流出口８２Ａは、図４、５に示すように、第２ダクト部８Ｂの第１流路８Ｂ１に形成されている。この第１流出口８２Ａの冷却空気Ｗ２の流れ方向の上流側の端縁部分は、第３案内部材１１の円弧状の先端部分の内側に位置している。すなわち、第１流出口８２Ａには、冷却ファン７から吐出された冷却空気Ｗ２２が第３案内部材１１に整流されて、良好に導かれやすくなっている。これにより、冷却空気Ｗ２は、第３案内部材１１で整流されて、入射側偏光板４５２（図２参照）、及び赤色光側の液晶パネル４５１Ｒ（図２参照）の光入射面に上方向に沿って流出する（図３、７中の矢印Ｒ１）
【００４１】
第２流出口８２Ｂは、図４、５に示すように、第２ダクト部８Ｂの第１流路８Ｂ１の延出方向に形成されている。この第２流出口８２Ｂの周縁部分には、図３に示すように、天面側に向けて突出する整流板１４が配設されている。これにより、冷却空気Ｗ２は、第３案内部材１１で整流されつつ、整流板１４に当たって、赤色光側の液晶パネル４５１Ｒの光射出面、及び射出側偏光板４５３に上方向に沿って流出する（図３、７中の矢印Ｒ２）。
【００４２】
［青側冷却用流出口の構成］
青側冷却用流出口８３は、図３に示すように、左側面側から矩形状の第１流出口８３Ａ及び第２流出口８３Ｂが左右方向に沿って並設されて構成されている。
第１流出口８３Ａと第２流出口８３Ｂとの間には、図４、５に示すように、整流板１５が底面側に向けて突出するように配設されている。この整流板１５は、図７に示すように、第１流路８Ｂ１の一部を閉塞するように配設されている。
第１流出口８３Ａの端縁には、図３、７に示すように、整流板１６が天面側に向けて突出するように配設されている。
【００４３】
第１流出口８３Ａは、図４、５に示すように、第２ダクト部８Ｂの第１流路８Ｂ１に形成されている。これにより、第１流路８Ｂ１を辿る冷却空気Ｗ２は、第３案内部材１１で整流されつつ、整流板１６に当たって、入射側偏光板４５２、及び青色光側の液晶パネル４５１Ｂの光入射面に上方向に向かって流出する（図３、７中の矢印Ｂ１）。
第２流出口８３Ｂは、図４、５に示すように、第２ダクト部８Ｂの第１流路８Ｂ１に形成されている。これにより、第１流路８Ｂ１を辿る冷却空気Ｗ２は、第３案内部材１１で整流されつつ、整流板１５に当たって、青色光側の液晶パネル４５１Ｂの光射出面、及び射出側偏光板４５３に上方向に向かって流出する（図３、７中の矢印Ｂ２）。
【００４４】
［流出口の構成］
流出口８４は、図３に示すように、第２ダクト部８Ｂの第２流路８Ｂ２の端部に矩形状に形成されている。この流出口８４の周縁部分は、図３、７に示すように、天面側に向けて突出する整流板１７が配設されている。これにより、第２流路８Ｂ２を辿る冷却空気Ｗ２は、整流板１７に当たって、流出口８４から偏光変換素子４２３に上方向に沿って流出する（図３、７中の矢印Ｐ１）。
【００４５】
上述した本実施形態のプロジェクター１によれば、以下の効果がある。
本実施形態では、第１〜第３案内部材９〜１１が、第１の方向と第２の方向とが交差する位置を跨ぐように第１流路８Ａ１，８Ｂ１及び第２流路８Ａ２に沿って延出している。これによれば、冷却空気Ｗがダクト８内に吐出されると、第１〜第３案内部材９〜１１により、ダクト８の第１の方向と第２の方向とが交差する位置を辿る冷却空気Ｗの流量をそれぞれ均一化することができ、ダクト８の第１の方向と第２の方向とが交差する位置で生じる圧力損失を低減できる。
従って、圧力損失が低減されることで、冷却空気Ｗの流量の減少を防止でき、冷却対象の冷却効率を向上できる。
【００４６】
また、ダクト８は、第１案内部材９により、緑色光側の液晶パネル４５１Ｇに冷却空気Ｗを流出する第１ダクト部８Ａと、赤、青色光側の液晶パネル４５１Ｒ，４５１Ｂに冷却空気Ｗを流出する第２ダクト部８Ｂとに分岐される。例えば、第１ダクト部８Ａを辿る冷却空気Ｗは、緑色光側の液晶パネル４５１Ｇのみに対して流出するので、緑色光側の液晶パネル４５１Ｇを効率的に冷却できる。
また、赤、青色光側の液晶パネル４５１Ｒ，４５１Ｂに対しても、第２ダクト部８Ｂを辿る冷却空気Ｗが流出するので、赤、青色光側の液晶パネル４５１Ｒ，４５１Ｂを良好に冷却できる。
【００４７】
さらに、第２ダクト部８Ｂは、赤、青色光側の液晶パネル４５１Ｒ，４５１Ｂへの入射光束の光軸に沿う方向に延出し、第２ダクト部８Ｂの赤側冷却用流出口８２は、赤色光側の液晶パネル４５１Ｒ、入射側偏光板４５２、及び射出側偏光板４５３の入射光束の光軸に沿う方向に延びるように形成されている。これによれば、冷却空気Ｗは、これらの部材に確実に流出して、良好に冷却できる。
また、第２ダクト部８Ｂを辿る冷却空気Ｗは、赤色光側の液晶パネル４５１Ｒの下流側に配設される青色光側の液晶パネル４５１Ｂに対して流出して、青色光側の液晶パネル４５１Ｂを良好に冷却できる。
【００４８】
さらに、第１導風路８Ａ１０は、緑色光側の液晶パネル４５１Ｇに向かうにつれて、緑色光側の液晶パネル４５１Ｇから垂直方向に離間する方向に傾斜している傾斜部８５を備えるので、緑色光側の液晶パネル４５１Ｇに機械的に干渉することなく、第１導風路８Ａ１０を経由した後の冷却空気Ｗ１を第１導風路８Ａ１０に向けて流通させる第２導風路８Ａ２０を確保できる。
これによれば、冷却空気Ｗ１は、第１導風路８Ａ１０から第２導風路８Ａ２０を経由して、緑色光側の液晶パネル４５１Ｇに対して流れるので、第２導風路８Ａ２０にて緑側冷却用流出口８１の開口面に対する斜め方向への流通が規制されることとなり、緑側冷却用流出口８１の開口面に対して略直交する方向に流出することとなる。すなわち、緑色光側の液晶パネル４５１Ｇの光入射面及び光射出面に対して均一に冷却空気を流すことができ、緑色光側の液晶パネル４５１Ｇの冷却効率を向上できる。
【００４９】
また、第１導風路８Ａ１０は、傾斜部８５を備えるので、第１導風路８Ａ１０と第２導風路８Ａ２０とが交差する角部分は、Ｒを大きくすることが可能となる。このように、角部分をＲ状に形成すれば、角部分での冷却空気Ｗ１の抵抗を低減し、圧力損失を低減できる。すなわち、冷却空気Ｗ１の流量や流速が低減することなく、第２導風路８Ａ２０から緑色光側の液晶パネル４５１Ｇに対して冷却空気Ｗ１を良好に流出でき、冷却効率を向上できる。
【００５０】
［実施形態の変形］
なお、本発明は前述の実施形態に限定されるものではなく、本発明の目的を達成できる範囲での変形、改良等は本発明に含まれるものである。
前記実施形態では、射出側偏光板４５３は、２枚構成であったが、１枚または３枚以上の構成でもよく、また、入射側偏光板４５２は、１枚構成であったが、複数構成にしてもよい。
前記実施形態では、ダクト８の天面側を平坦状にして、天面側の肉厚部分を厚くし、第１導風路８Ａ１０を縮径していたが、ダクト８の天面側を傾斜させて、第１導風路８Ａ１０を縮径してもよい。
【００５１】
前記実施形態では、光学ユニット４は平面視略Ｌ字形状を有した構成としたが、これに限らず、例えば、平面視略Ｕ字形状を有した構成を採用してもよい。
前記実施形態では、透過型の液晶パネル４５１を採用していたが、これに限らず、反射型の液晶パネルを採用してもよく、あるいは、デジタルマイクロミラーデバイス（ＤＭＤ）を採用してもよい。なお、ＤＭＤは米国テキサスインスツルメンツ社の商標である。
【産業上の利用可能性】
【００５２】
本発明は、プレゼンテーションやホームシアターに用いられるプロジェクターに利用できる。
【符号の説明】
【００５３】
１…プロジェクター、５…冷却装置、７…冷却ファン、８…ダクト、８Ａ…第１ダクト部、８Ｂ…第２ダクト部、８Ａ１０…第１導風路（導風路）、９…第１案内部材（案内部材）、１０…第２案内部材（案内部材）、１１…第３案内部材（案内部材）、８２…赤側冷却用流出口（流出口）、８５…傾斜部、４５１…液晶パネル（光変調装置）、４５１Ｒ…赤色光側の液晶パネル（第１の光変調装置）、４５１Ｂ…青色光側の液晶パネル（第２の光変調装置）、４５１Ｇ…緑色光側の液晶パネル（第３の光変調装置）、４５２…入射側偏光板（入射側光学素子）、４５３…射出側偏光板（射出側光学素子）。
【図１】
2010262153.tif 000003
【図２】
2010262153.tif 000004
【図３】
2010262153.tif 000005
【図４】
2010262153.tif 000006
【図５】
2010262153.tif 000007
【図６】
2010262153.tif 000008
【図７】
2010262153.tif 000009